(57)【要約】      （修正有）【課題】使用者の顔に応じて調節可能であるとともに、さまざまな健康効果が得られる頭部のつぼを刺激することのできる、健康まくらを提供する。【解決手段】上面が開口した箱体状又は四方を立設する壁部で囲んだ枠体状のまくら本体１と、まくら本体１の周縁部間に架け渡すように配置されるとともに位置調節可能な弾性バンド２０と、まくら本体１を覆うまくらカバーとからなり、前記弾性バンド２０は、うつ伏せ寝に使用した場合の使用者の目と口が位置するだけの隙間部５を形成し、使用者の頭部のつぼを押圧する一対の押圧突起３を備えることを特徴とする健康まくら。【選択図】図１
0003198332.tif 000002
【実用新案登録請求の範囲】
【請求項１】
上面が開口した箱体状又は四方を立設する壁部によって囲んだ枠体状のまくら本体と、
まくら本体の周縁部間に掛け渡すように配置されるとともに位置調節可能な弾性バンドと、
まくら本体を覆うまくらカバーと、からなり、
前記弾性バンドは、うつ伏せ寝に使用した場合の使用者の目と口が接しないだけの隙間部を形成するとともに、使用者のつぼを押圧する一対の押圧突起を備えることを特徴とする、健康まくら。
【請求項２】
前記まくらカバーは、うつ伏せ寝に使用した場合の使用者の鼻から口に亘る部分に開口部を有することを特徴とする、請求項１に記載の健康まくら。
【考案の詳細な説明】
【技術分野】
【０００１】
本考案はまくらに関する。
【背景技術】
【０００２】
人の頭部には、健康に効果的であるとされるつぼが多数存在する。特に顔の中心となる鼻の両脇に位置する眼窩下孔部のつぼは、目の疲労や鼻づまり、顔のむくみをはじめとするさまざまな症状に効果的であり、高いリラックス効果も得られる。よって前記つぼを習慣的に刺激することは心と体の健康に大変良い。
【０００３】
また、適度なうつ伏せ寝は健康によいとされている。うつ伏せの体勢をとることで腹式呼吸が容易となるため質の高い睡眠が得られ、いびきの軽減や睡眠時無呼吸症候群の改善も期待できる。
最も一般的なまくらとして、袋体にパイプ素材やわた素材、そばがら、ウレタンフォームなどの充填材を入れたものがあるが、うつ伏せ寝に用いた場合には息苦しくなってしまい、体勢が持続できないという問題がある。
接骨院等で使用される馬蹄型のまくらは、うつ伏せ寝に対応できるが、形状の定まったものであるため、人によっては開口部が小さすぎる、又は大きすぎるという問題がある。
従来から、うつ伏せ寝用のまくらは存在する。例えば、特許文献１では頭部と両頬の３か所を支える凹凸を設けたうつ伏せ寝用まくらが提案されている。
【先行技術文献】
【特許文献】
【０００４】
【特許文献１】特開２００７−５０２２２号公報
【考案の概要】
【考案が解決しようとする課題】
【０００５】
しかしながら、頭部は人によって大きさが異なり、目や鼻の位置も人それぞれ異なる。特に子どもの成長期ではその変化が著しい。そのため、特許文献１で提案されるようなうつ伏せ寝用のまくらでは、使用する人に応じて適宜調節をすることが困難であり、実用性に乏しい。また、このような構造のまくらは、単にうつ伏せ寝用のまくらとしての機能を有するだけであって、頭部のつぼを刺激して健康を促進するようなものではない。
【０００６】
本考案は、使用者の顔に応じて調節可能であるとともに、さまざまな健康効果が得られる頭部のつぼを刺激することのできる、健康まくらを提供することを目的とする。
【課題を解決するための手段】
【０００７】
請求項１の考案は、上面が開口した箱体状又は四方を立設する壁部によって囲んだ枠体状のまくら本体と、まくら本体の周縁部間に掛け渡すように配置されるとともに位置調節可能な弾性バンドと、まくら本体を覆うまくらカバーと、からなり、前記弾性バンドは本考案をうつ伏せ寝に使用した場合の、使用者の目と口が接しないだけの隙間部を形成するとともに、使用者のつぼを押圧する一対の押圧突起を備えることを特徴とする健康まくらである。
【０００８】
請求項２の考案は、前記まくらカバーをうつ伏せ寝に使用した場合の、使用者の鼻から口に亘る部分に開口部を有することを特徴とする。
【考案の効果】
【０００９】
本考案によれば、弾性バンドはまくら本体の周縁部において位置調節可能であるため、馬蹄型のまくらや目鼻口部分を窪ませた一体型のうつ伏せ寝用まくらと異なり、人の顔に応じて目と口が位置する隙間部の大きさを適宜調節することが可能である。
したがって、弾性バンドはうつ伏せ寝に使用した場合の使用者の目と口が接しないだけの隙間部を使用者に合わせて形成可能なので、眼球が圧迫されることなく、呼吸も容易にできる。そのため、長時間うつ伏せ寝の体勢を持続できる。
【００１０】
弾性バンドに備えられる一対の押圧突起は、本考案をうつ伏せ寝に使用した場合には、鼻を挟んで対称に位置し、眼窩下孔部を押圧することが可能である。前記押圧突起は、鼻に弾性バンドが触れることを防ぎ、呼吸を容易にするだけでなく、眼窩下孔部のつぼを適度に刺激するため、目の疲労回復や顔のむくみ解消に効果的であって、リラックス効果による質の高い睡眠を得ることが可能である。
また、本考案を横向き寝に使用した場合には、前記押圧突起は耳を挟んで対称に位置し、こめかみと側頭部を押圧することが可能である。そのため、頭痛や耳鳴りの改善に効果的である。
さらに、本考案を仰向け寝に使用した場合には、前記押圧突起は後頭部を押圧することが可能である。
頭部のつぼを刺激する機能をまくらに備えることで、睡眠中につぼを刺激することができ、頭部のつぼ押しを習慣化することが容易となるため、さまざまな健康効果が期待できる。
【００１１】
また、請求項２に記載の考案によれば、まくらカバーはうつ伏せ寝に使用した場合の使用者の鼻から口にかけての部分に開口部を有するので、まくらカバーをした状態においても呼吸に支障が無い。また、まくらカバーを施すことにより、まくら本体と弾性バンドを清潔に保つことができるとともに、健康まくらとしての商品価値が高まる。
【図面の簡単な説明】
【００１２】
【図１】本考案のまくら本体と弾性バンドを示す斜視図である。
【図２】本考案のまくら本体と弾性バンドを示す正面図である。
【図３】（イ）（ロ）図は本考案の一対の押圧突起を有する弾性バンドを示す正面図である。
【図４】本考案の健康まくらのうつ伏せ寝における使用例を示すための、まくら本体と弾性バンドを底面側から見た図２のＡ−Ａ線断面図である。
【図５】本考案のまくら本体と弾性バンドにまくらカバーを被せた状態の斜視図である。
【考案を実施するための形態】
【００１３】
本考案の健康まくらは図１に示すように、まくら本体１と、弾性バンド２０と、まくらカバー４とから構成される。
【００１４】
まくら本体１は使用者の頭部よりやや大きいものであり、上面が開口した底面を有する箱体、又は四方を立設する壁部によって囲んだ枠体であるが、枠体を用いることで、まくら本体１の軽量化を図ることができる。まくら本体１の図１紙面上後側の壁部、言い換えれば、使用者の頭頂部が位置する方向の壁部は、額部の支持を安定させるため、他の壁部よりも厚みを持たせることが望ましい。
さらに、まくら本体１の周縁部には弾性バンド２０の位置を左右対称に調節できるよう目盛を設けることが望ましい。また、通気性を良くするため、まくら本体１側面にスリットを設けても問題ない。
【００１５】
弾性バンド２０は、使用者の頭部を支持するものであって、図１に示すように、まくら本体１の周縁部間に架け渡されるように形成されているが、図３（イ）に示す第二弾性バンド２２のような輪状のものであり、まくら本体１とは分離独立している。また、弾性バンド２０には伸縮可能な素材を用いることから、その伸縮性を利用して輪の周長を伸ばすことで、まくら本体１の周縁部で位置調節が可能となる。そして、弾性バンド２０は、張力を調節できるようにしたものが望ましく、さらに、伸縮性や幅の異なる素材を複数組み合わせたものを用いても問題ないが、紐状のものや幅の狭いものは局部的に皮膚を圧迫するため適さない。
なお、まくら本体１として、四方を立設する壁部によって囲んだ枠体を用いた場合の弾性バンド２０は、図３（ロ）に示す第二弾性バンド２２のように、弾性バンド２０の中央部分を接続させた８の字状であってもよい。前記第二弾性バンド２２の両ループ部に生じた空間６に、まくら本体１の壁部が通る構造となるため、前記輪状の弾性バンド２０と同様にまくら本体１の周縁部で位置調節が可能となる。
【００１６】
弾性バンド２０は、図１に示すように、額を支える第一弾性バンド２１、押圧突起３を有する第二弾性バンド２２、下顎を支える第三弾性バンド２３、前記弾性バンド２１、２２、２３と直交する方向に重なって位置する２本の補助弾性バンド２４、２４とから構成される。
【００１７】
図１、図４に示すように、第一弾性バンド２１と第二弾性バンド２２との間と、第二弾性バンド２２と第三弾性バンド２３との間にはそれぞれ隙間部５が形成される。前記隙間部５は使用者の目と口に対応する部位にあるので、使用者の目と口は、弾性バンド２０に圧迫されることなく、呼吸も容易にできる。
【００１８】
第二弾性バンド２２は、本考案をうつ伏せ寝に使用した場合の使用者の眼窩下孔部に当たる部位に、一対の押圧突起３、３を備えるものである。押圧突起３は弾力のある素材かつ、肌触りの良い素材であることが望ましい。
【００１９】
弾性バンド２０の一部は、図１に示す補助弾性バンド２４、２４のように、他の弾性バンド２０と交差させるように重ねた構造とするのが望ましい。図１において、補助弾性バンド２４、２４が第一弾性バンド２１および第三弾性バンド２３の下に交差して重なるように位置することで、まくら本体１と弾性バンド２０にかかる荷重が分散し、使用者の頭部の支持が安定する。
【００２０】
まくらカバー４は、１枚の布地をまくら本体１を覆うように重ね合わせて縫合して形成されたものである。また、まくらカバー４は開口部を有しており、図５に示すように、開口部によって使用者の口に対応する隙間部５が露出した状態になるため、呼吸が容易となる。
さらに、まくらカバー４の開口部には開閉可能な蓋部を設け、蓋部の端部に２つの係合部７０、７０と、まくらカバー４の両側面の図５紙面上前側に２つの被係合部７１、７１、図５紙面上後側に２つの被係合部７２、７２を設ける。
【００２１】
本考案を仰向け寝及び横向き寝において使用する際は、まくらカバー４の開口部は必要ないため、蓋部の係合部７０、７０を側面前側の被係合部７１、７１に係合させて開口部を閉じる。
本考案のうつ伏せ寝使用時には、図５に示すように、まくらカバー４の蓋部を折り返して開口部を開き、第一弾性バンド２１上で畳んだ後に、蓋部の係合部７０、７０を側面後側の被係合部７２、７２に係合させることで、開口部を開いた状態で蓋部を固定できる。このとき、蓋部の布地を第一弾性バンド２１上で畳んだことで、使用者の額に当たる部分の布地が厚くなり、クッションとして使用できる。
まくらカバー４は柔らかく肌触りのよい伸縮性のある素材かつ通気性のよい素材を用いることが望ましく、前記係合部７０と被係合部７１、７２は面ファスナー等を用いることが望ましい。
【００２２】
本考案は上記実施形態に限定されるものではなく、その趣旨を逸脱しない範囲において適宜変更可能である。
まくら本体１には、側面に隣接して一般的な袋体のまくらを設置してもよい。
【符号の説明】
【００２３】
１          まくら本体
２０        弾性バンド 
２１        第一弾性バンド                  
２２        第二弾性バンド
２３        第三弾性バンド
２４        補助弾性バンド
３          押圧突起
４          まくらカバー      
５          隙間部
６          空間
７０        係合部
７１、７２  被係合部
【図１】
0003198332.tif 000003
【図２】
0003198332.tif 000004
【図３】
0003198332.tif 000005
【図４】
0003198332.tif 000006
【図５】
0003198332.tif 000007